Podtech/llm-jp-corpus-v4-ja_patent huggingface dataset:
【手続補正書】
【提出日】平成29年7月14日(2017.7.14)
【手続補正１】
【補正対象書類名】特許請求の範囲
【補正対象項目名】全文
【補正方法】変更
【補正の内容】
【特許請求の範囲】
【請求項１】
紛失中の移動端末（１）にセキュリティを提供する方法において、
前記移動端末（１）とコード送信機（７）とは互いに別々に移動可能であり、
前記コード送信機（７）は、自身から所定の通信範囲内にある前記移動端末（１）にコードを繰り返し送信し、
前記移動端末は前記送信されたコードを自身が受信不能であることを検出し、
前記移動端末は自身が移動中であるか否かを検出し、
前記移動端末は、前記コードを受信不能であり且つ自身が移動中である時は、自身の操作の制限を受け入れる
ことを特徴とする紛失中に移動端末（１）にセキュリティを提供する方法。
【請求項２】
前記コード送信機（７）はトランスポンダーの一部であり、
前記送信されたコードは、前記移動端末（１）から送信されトランスポンダーが受信した信号から抽出される
ことを特徴とする請求項１記載の方法。
【請求項３】
前記移動端末（１）は、前記トランスポンダーを繰り返しインテロゲートし、
前記トランスポンダーは、前記移動端末（１）によるトランスポンダーの連続するインテロゲーションに応答して、前記移動端末（１）が受領できるよう前記コードを送信する
ことを特徴とする請求項１又は２に記載の方法。
【請求項４】
前記移動端末が前記送信されたコードを受領しない場合、前記移動端末の操作の全てあるいは一部のみに関し、前記移動端末のターニング・オフは、阻止される
ことを特徴とする請求項１−３のいずれか１項に記載の方法。
【請求項５】
前記移動端末が前記送信されたコードを受領しない場合、前記移動端末のターニング・オフは、前記移動端末の位置を遠方から決定あるいは追跡するような移動端末の操作に関し、阻止される
ことを特徴とする請求項１−４のいずれか１項に記載の方法。
【請求項６】
前記移動端末が前記送信されたコードを受領せずにかつ動いていないことを検出した場合には、前記移動端末は部分的ロックダウン・モードで動作し、前記部分的ロックダウン・モードにおいては、前記移動端末の操作は、前記移動端末が実行機能を搭載するファンクションのサブセットのみの実行に、制限される
ことを特徴とする請求項１−５のいずれか１項に記載の方法。
【請求項７】
前記移動端末が部分的ロックダウン・モードで制限された操作のファンクションのサブセットは、
（ａ）来入する呼びを受領するファンクションと、
（ｂ）来入するＳＭＳ又は他のメッセージを受領するファンクションと、
（ｃ）送信されたコードを受領しているか否かをチェックするファンクションと、
（ｄ）前記移動端末の地理的位置が遠方から決定可能あるいは追跡可能とする移動端末のＧＰＳ追跡ファンクション又は他のファンクションと、
を含む
ことを特徴とする請求項６記載の方法。
【請求項８】
前記移動端末が実行機能を搭載したファンクションのサブセットは、
（ｅ）前記移動端末に入力されたパスワード又は他のものをチェックする機能
（ｆ）前記移動端末に送信された個人識別の前記移動端末による認識の機能
の両方又はいずれかを含む
ことを特徴とする請求項６又は７記載の方法。
【請求項９】
前記移動端末が部分的ロックダウン・モードで動作している間、以下の条件の少なくとも１つが満たされた場合、前記移動端末内の電源を切断する動作に応答する
（ａ）前記移動端末が送信されたコードを受領したことを前記移動端末が検出したこと：
（ｂ）前記移動端末が前記移動端末に入力されたパスワードを認証したこと：
（ｃ）前記移動端末が前記移動端末に入力された個人識別子を認証したこと：
ことを特徴とする請求項７−１０のいずれか１項に記載の方法。
【請求項１０】
紛失中の移動端末（１）にセキュリティを提供するシステムにおいて、
前記移動端末（１）とコード送信機（７）とは互いに別々に移動可能であり、
前記コード送信機（７）は、自身から所定の通信範囲内にある前記移動端末（１）にコードを繰り返し送信し、
前記移動端末は前記送信されたコードを自身が受信不能であることを検出し、
前記移動端末は自身が移動中であるか否かを検出し、
前記移動端末は、前記コードを受信不能であり且つ自身が移動中である時は、自身の操作の制限を受け入れる
ことを特徴とする紛失中に移動端末にセキュリティを提供するシステム。
【請求項１１】
前記コード送信機はトランスポンダーの一部であり、
前記送信されたコードは、前記移動端末から送信されトランスポンダーが受信し信号から抽出される
ことを特徴とする請求項１０記載のシステム。
【請求項１２】
前記移動端末（１）は、前記トランスポンダーを繰り返しインテロゲートし、
前記トランスポンダーは、前記移動端末（１）によるトランスポンダーの連続するインテロゲーションに応答して、前記移動端末（１）が受領できるよう前記コードを送信する
ことを特徴とする請求項１０又は１１記載のシステム。
【請求項１３】
前記移動端末が前記送信されたコードを受領しない場合、前記移動端末の操作の全てあるいは一部のみに関し、前記移動端末のターニング・オフは、阻止される
ことを特徴とする請求項１０−１２のいずれか記載のシステム。
【請求項１４】
前記移動端末が前記送信されたコードを受領しない場合、前記移動端末のターニング・オフは、前記移動端末の位置を遠方から決定あるいは追跡するような移動端末の操作に関し、阻止される
ことを特徴とする請求項１０−１３のいずれか１項に記載のシステム。
【手続補正書】
【提出日】平成29年4月12日(2017.4.12)
【手続補正１】
【補正対象書類名】特許請求の範囲
【補正対象項目名】全文
【補正方法】変更
【補正の内容】
【特許請求の範囲】
【請求項１】
ワイヤレスドッキング環境における近傍に基づくアンドッキングのための方法であって、
ワイヤレス被ドッキング体とワイヤレスドッキングセンターとの間での通信の信号強度を測定することと、
前記測定された信号強度が低い方のスレショルドを下回る場合はタイマを始動させることと、
前記ワイヤレス被ドッキング体と前記ワイヤレスドッキングセンターとの間での前記通信の前記信号強度を測定するのを継続することと、
前記測定された信号強度が高い方のスレショルドを上回る場合は前記タイマを停止させることであって、それによって前記ワイヤレス被ドッキング体及び前記ワイヤレスドッキングセンターはドッキングされた状態であり、ここにおいて、前記高い方のスレショルドは、前記低い方のスレショルドよりも高い値を有することと、
前記タイマが時間切れである場合に前記ワイヤレスドッキングセンターから前記ワイヤレス被ドッキング体をアンドッキングすることと、
を備える、方法。
【請求項２】
前記測定された信号強度は、正規化受信信号強度（ＮＲＳＳＩ）である請求項１に記載の方法。
【請求項３】
前記低い方のスレショルドを下回る前記測定された信号強度に応答してアンドッキングがペンディング状態であることを示すメッセージを前記ワイヤレスドッキングセンターから前記ワイヤレス被ドッキング体に送信することをさらに備える請求項１に記載の方法。
【請求項４】
前記方法は、前記ワイヤレスドッキングセンターによって実行される請求項１、２、または３のうちのいずれかに記載の方法。
【請求項５】
前記方法は、前記ワイヤレス被ドッキング体によって実行される請求項１または２のうちのいずれかに記載の方法。
【請求項６】
ワイヤレスドッキング環境において近傍に基づくアンドッキングを行うように構成された装置であって、
ワイヤレス被ドッキング体とワイヤレスドッキングセンターとの間での通信の信号強度を測定するための手段と、
前記測定された信号強度に基づいて前記ワイヤレスドッキングセンターから前記ワイヤレス被ドッキング体をアンドッキングするための手段と、を備え、
前記測定された信号強度に基づいて前記ワイヤレスドッキングセンターから前記ワイヤレス被ドッキング体をアンドッキングするための前記手段は、
前記測定された信号強度が低い方のスレショルドを下回る場合はタイマを始動させるための手段と、
前記ワイヤレス被ドッキング体と前記ワイヤレスドッキングセンターとの間での前記通信の前記信号強度を測定するのを継続するための手段と、
前記測定された信号強度が高い方のスレショルドを上回る場合は前記タイマを停止させるための手段であって、それにより、前記ワイヤレス被ドッキング体及び前記ワイヤレスドッキングセンターはドッキングされた状態であり、ここにおいて、前記高い方のスレショルドは、前記低い方のスレショルドよりも高い値を有する手段と、
前記タイマが時間切れである場合に前記ワイヤレスドッキングセンターから前記ワイヤレス被ドッキング体をアンドッキングするための手段と、を備える装置。
【請求項７】
前記測定された信号強度は、正規化受信信号強度（ＮＲＳＳＩ）である請求項６に記載の装置。
【請求項８】
前記測定された信号強度に基づいて前記ワイヤレスドッキングセンターから前記ワイヤレス被ドッキング体をアンドッキングするための前記手段は、
前記低い方のスレショルドを下回る前記測定された信号強度に応答してアンドッキングがペンディング状態であることを示すメッセージを前記ワイヤレスドッキングセンターから前記ワイヤレス被ドッキング体に送信するための手段を備える請求項６に記載の装置。
【請求項９】
前記装置は、前記ワイヤレスドッキングセンターである請求項６、７、または８のうちのいずれかに記載の装置。
【請求項１０】
前記装置は、前記ワイヤレス被ドッキング体である請求項６または７のうちのいずれかに記載の装置。
【請求項１１】
実行されたときに、請求項１から５のいずれかのステップを行うように構成されたデバイスの１つ以上のプロセッサに行わせる命令を格納するコンピュータによって読み取り可能な記憶媒体。
【手続補正書】
【提出日】平成29年2月24日(2017.2.24)
【手続補正１】
【補正対象書類名】特許請求の範囲
【補正対象項目名】全文
【補正方法】変更
【補正の内容】
【特許請求の範囲】
【請求項１】
ビデオ情報をコーディングするように構成される装置であって、前記装置は、
参照レイヤとエンハンスメントレイヤとに関連付けられたビデオ情報を記憶するように構成されるメモリ、前記参照レイヤは、第１のスライスと第２のスライスとを有する参照レイヤ（ＲＬ）ピクチャを備え、前記エンハンスメントレイヤは、前記ＲＬピクチャに対応するエンハンスメントレイヤ（ＥＬ）ピクチャを備える、と、
前記メモリと通信しているプロセッサと
を備え、前記プロセッサは、
前記ＲＬピクチャをアップサンプリングすることによってレイヤ間参照ピクチャ（ＩＬＲＰ）を生成すること、前記ＩＬＲＰは、それに関連付けられた単一のスライスを有する、と、
前記ＩＬＲＰの前記単一のスライスのスライス情報を前記第１のスライスのスライス情報に等しく設定することと、
前記ＥＬピクチャの少なくとも一部分をコーディングするために前記ＩＬＲＰを使用することと
を行うように構成される、装置。
【請求項２】
前記ＥＬピクチャと前記ＲＬピクチャとは、同じアクセスユニット中にある、
請求項１に記載の装置。
【請求項３】
前記単一のスライスの前記スライス情報は、前記単一のスライスのスライスタイプと前記単一のスライスの参照ピクチャリスト情報とを備える、
請求項１に記載の装置。
【請求項４】
参照ピクチャリスト情報は、
参照ピクチャリスト０中の参照ピクチャの第１の数と、
前記参照ピクチャリスト０中の前記参照ピクチャと参照ピクチャインデックスの第１のセットとの間の第１の関連付けと、
参照ピクチャリスト１中の参照ピクチャの第２の数と、
前記参照ピクチャリスト１中の前記参照ピクチャと参照ピクチャインデックスの第２のセットとの間の第２の関連付けと
を備える、請求項３に記載の装置。
【請求項５】
前記装置は、符号化器を備え、前記プロセッサは、ビデオビットストリーム中で前記ビデオ情報を符号化するようにさらに構成される、
請求項１に記載の装置。
【請求項６】
前記装置は、復号器を備え、前記プロセッサは、ビデオビットストリーム中で前記ビデオ情報を復号するようにさらに構成される、
請求項１に記載の装置。
【請求項７】
前記装置は、コンピュータと、ノートブックと、ラップトップと、コンピュータと、タブレットコンピュータと、セットトップボックスと、電話ハンドセットと、スマートフォンと、スマートパッドと、テレビジョンと、カメラと、ディスプレイデバイスと、デジタルメディアプレーヤと、ビデオゲームコンソールと、車内コンピュータとのうちの１つまたは複数なるグループから選択されるデバイスを備える、
請求項１に記載の装置。
【請求項８】
ビデオ情報をコーディングする方法であって、前記方法は、
第１のスライスと第２のスライスとを有する参照レイヤ中の参照レイヤ（ＲＬ）ピクチャをアップサンプリングすることによってレイヤ間参照ピクチャ（ＩＬＲＰ）を生成すること、前記ＩＬＲＰは、それに関連付けられた単一のスライスを有する、と、
前記ＩＬＲＰの前記単一のスライスのスライス情報を前記第１のスライスのスライス情報に等しく設定することと、
エンハンスメントレイヤ中のエンハンスメントレイヤ（ＥＬ）ピクチャの少なくとも一部分をコーディングするために前記ＩＬＲＰを使用することと
を備える、方法。
【請求項９】
前記ＥＬピクチャと前記ＲＬピクチャとは、同じアクセスユニット中にある、
請求項８に記載の方法。
【請求項１０】
前記単一のスライスの前記スライス情報は、前記単一のスライスのスライスタイプと前記単一のスライスの参照ピクチャリスト情報とを備える、
請求項８に記載の方法。
【請求項１１】
参照ピクチャリスト情報は、
参照ピクチャリスト０中の参照ピクチャの第１の数と、
前記参照ピクチャリスト０中の前記参照ピクチャと参照ピクチャインデックスの第１のセットとの間の第１の関連付けと、
参照ピクチャリスト１中の参照ピクチャの第２の数と、
前記参照ピクチャリスト１中の前記参照ピクチャと参照ピクチャインデックスの第２のセットとの間の第２の関連付けと
を備える、請求項１０に記載の方法。
【請求項１２】
実行されたとき、
参照レイヤとエンハンスメントレイヤとに関連付けられたビデオ情報を記憶すること、前記参照レイヤは、第１のスライスと第２のスライスとを有する参照レイヤ（ＲＬ）ピクチャを備え、前記エンハンスメントレイヤが、前記ＲＬピクチャに対応するエンハンスメントレイヤ（ＥＬ）ピクチャを備える、と、
前記ＲＬピクチャをアップサンプリングすることによってレイヤ間参照ピクチャ（ＩＬＲＰ）を生成すること、前記ＩＬＲＰは、それに関連付けられた単一のスライスを有する、と、
前記ＩＬＲＰの前記単一のスライスのスライス情報を前記第１のスライスのスライス情報に等しく設定することと、
前記ＥＬピクチャの少なくとも一部分をコーディングするために前記ＩＬＲＰを使用することと
を備えるプロセスを装置に実行させるコードを備える、非一時的コンピュータ可読媒体。
【請求項１３】
前記ＥＬピクチャと前記ＲＬピクチャとは、同じアクセスユニット中にある、
請求項１２に記載のコンピュータ可読媒体。
【請求項１４】
ビデオ情報をコーディングするように構成されるビデオコーディングデバイスであって、前記ビデオコーディングデバイスは、
参照レイヤとエンハンスメントレイヤとに関連付けられたビデオ情報を記憶するための手段、前記参照レイヤは、第１のスライスと第２のスライスとを有する参照レイヤ（ＲＬ）ピクチャを備え、前記エンハンスメントレイヤは、前記ＲＬピクチャに対応するエンハンスメントレイヤ（ＥＬ）ピクチャを備える、と、
前記ＲＬピクチャをアップサンプリングすることによってレイヤ間参照ピクチャ（ＩＬＲＰ）を生成するための手段、前記ＩＬＲＰは、それに関連付けられた単一のスライスを有する、と、
前記ＩＬＲＰの前記単一のスライスのスライス情報を前記第１のスライスのスライス情報に等しく設定することと、
前記ＥＬピクチャの少なくとも一部分をコーディングするために前記ＩＬＲＰを使用するための手段と
を備える、ビデオコーディングデバイス。
【請求項１５】
前記ＥＬピクチャと前記ＲＬピクチャとは、同じアクセスユニット中にある、
請求項１４に記載のビデオコーディングデバイス。
【手続補正書】
【提出日】平成29年7月28日(2017.7.28)
【手続補正１】
【補正対象書類名】特許請求の範囲
【補正対象項目名】全文
【補正方法】変更
【補正の内容】
【特許請求の範囲】
【請求項１】
ＣＤ４+ヘルパーＴ細胞エピトープに連結したＰ１０ｓ（配列番号１）またはその変異体、およびＭＯＮＴＡＮＩＤＥ（商標）ＩＳＡ５１ＶＧアジュバントを含む組成物。
【請求項２】
構造：Ｔｒｐ−Ａｒｇ−Ｔｙｒ−Ｔｈｒ−Ａｌａ−Ｐｒｏ−Ｖａｌ−Ｈｉｓ−Ｌｅｕ−Ｇｌｙ−Ａｓｐ−Ｇｌｙ−ｄＡｌａ−Ｌｙｓ−ＣＨＡｌａ−Ｖａｌ−Ａｌａ−Ａｌａ−Ｔｒｐ−Ｔｈｒ−Ｌｅｕ−Ｌｙｓ−Ａｌａ−Ａｌａ−ｄＡｌａ−ＮＨ2（ここで、Ａｌａ１３及びＡｌａ２５は、それぞれ、ｄＡｌａとして示されるＤ型アミノ酸であり、１５位にあるＡｌａは、ＣＨＡｌａとして示される改変Ｌ配置アラニン、シクロヘキシルアラニンである）を有する化合物を含む、請求項１に記載の組成物。
【請求項３】
Ｐ１０ｓ−ＰＡＤＲＥ少なくとも３００μｇを含む、請求項２に記載の組成物。
【請求項４】
Ｐ１０ｓ−ＰＡＤＲＥ少なくとも５００μｇを含む、請求項２に記載の組成物。
【請求項５】
Ｐ１０ｓ−ＰＡＤＲＥ少なくとも１０００μｇを含む、請求項２に記載の組成物。
【請求項６】
前記ＣＤ４+ヘルパーＴ細胞エピトープに連結されているＰ１０ｓ（配列番号１）を含み、前記ＣＤ４+ヘルパーＴ細胞エピトープが、ｄＡｌａ−Ｌｙｓ−ＣＨＡｌａ−Ｖａｌ−Ａｌａ−Ａｌａ−Ｔｒｐ−Ｔｈｒ−Ｌｅｕ−Ｌｙｓ−Ａｌａ−Ａｌａ−ｄＡｌａ−ＮＨ2（ここで、ｄＡｌａは、Ｄ配置アラニンであり、ＣＨＡｌａは、シクロヘキサンアラニンであり、Ｎ末端はアミド化されている）、ｄＡｌａ−Ｌｙｓ−ＣＨＡｌａ−Ｖａｌ−Ａｌａ−Ａｌａ−Ｔｒｐ−Ｔｈｒ−Ｌｅｕ−Ｌｙｓ−Ａｌａ−Ａｌａ−ｄＡｌａ（ここで、ｄＡｌａは、Ｄ配置アラニンであり、ＣＨＡｌａは、シクロヘキサンアラニンである）、配列番号３、配列番号４、及び配列番号５からなる群から選択される、請求項１に記載の組成物。
【請求項７】
癌を有すると診断されているヒトの治療用の医薬の製造のための、請求項１〜６のいずれかに記載の組成物の使用であって、前記治療は前記医薬を前記ヒトに投与することを含
む、前記使用。
【請求項８】
癌を有すると診断されているヒトの治療用の医薬の製造のための、請求項１〜６のいずれかに記載の組成物の使用であって、前記治療は前記医薬を前記ヒトに投与すること、そしてさらに１種または複数種の抗癌化学療法薬、抗癌放射性薬、及び／または抗癌放射線療法で前記ヒトを治療することを含む、前記使用。
【請求項９】
癌を有すると診断されているヒトの治療用の医薬の製造のための、請求項１〜６のいずれかに記載の組成物の使用であって、前記治療は前記医薬を前記ヒトに投与すること、そしてさらにドキソルビシン、シクロフォスファミド、ドセタキセル、シスプラチン、ビノレルビン、ボルテゾミブ、アドリアマイシン、トラスツズマブ、パクリタキセル、タモキシフェン、及びペルツズマブからなる群から選択される１種または複数種の抗癌化学療法薬で前記ヒトを治療することを含む、前記使用。
【請求項１０】
癌が、乳癌または肺癌である、請求項７〜９のいずれかに記載の使用。
【請求項１１】
癌が、三重陰性乳癌またはトラスツズマブ耐性乳癌である、請求項７〜９のいずれかに記載の使用。
【請求項１２】
癌の高いリスクを有するヒトにおける癌の予防用の医薬の製造のための、請求項１〜６のいずれかに記載の組成物の使用であって、前記予防は前記医薬を前記ヒトに投与することを含む、前記使用
【請求項１３】
癌の高いリスクを有するヒトにおける癌の予防用の医薬の製造のための、請求項１〜６のいずれかに記載の組成物の使用であって、前記予防は前記医薬を前記ヒトに投与すること、そしてさらに１種または複数種の抗癌化学療法薬、抗癌放射性薬、及び／または抗癌放射線療法で前記ヒトを処置することを含む、前記使用。
【請求項１４】
癌の高いリスクを有するヒトにおける癌の予防用の医薬の製造のための、請求項１〜６のいずれかに記載の組成物の使用であって、前記予防は前記医薬を前記ヒトに投与すること、そしてさらにドキソルビシン、シクロフォスファミド、ドセタキセル、シスプラチン、ビノレルビン、ボルテゾミブ、アドリアマイシン、トラスツズマブ、パクリタキセル、タモキシフェン、及びペルツズマブからなる群から選択される１種または複数種の抗癌化学療法薬で前記ヒトを処置することをさらに含む、前記使用。
【請求項１５】
請求項１〜６のいずれかに記載の組成物で免疫化されたヒトから得られた単離ヒトＮＫ細胞、及びその後代からなる群から選択される単離ヒトＮＫ細胞。
【請求項１６】
ナイーブなヒトから得られ、請求項１〜６のいずれかに記載の組成物でｅｘ  ｖｉｖｏで活性化された単離ヒトＮＫ細胞、及びその後代からなる群から選択される単離ヒトＮＫ細胞。
【請求項１７】
請求項１〜６のいずれかに記載の組成物で免疫化されたヒトから得られた単離ヒト樹状細胞、及びその後代からなる群から選択される単離ヒト樹状細胞。
【請求項１８】
ナイーブなヒトから得られ、請求項１〜６のいずれかに記載の組成物でｅｘ  ｖｉｖｏで活性化された単離ヒト樹状細胞、及びその後代からなる群から選択される単離ヒト樹状細胞。
【請求項１９】
以下の：
請求項１〜６のいずれかに記載の組成物で免疫化されたヒトから得られた単離ヒトＮＫ細胞、及びその後代からなる群から選択される単離ヒトＮＫ細胞；
ナイーブなヒトから得られ、請求項１〜６のいずれかに記載の組成物でｅｘ  ｖｉｖｏで活性化された単離ヒトＮＫ細胞、及びその後代からなる群から選択される単離ヒトＮＫ細胞；
請求項１〜６のいずれかに記載の組成物で免疫化されたヒトから得られた単離ヒト樹状細胞、及びその後代からなる群から選択される単離ヒト樹状細胞；または
ナイーブなヒトから得られ、請求項１〜６のいずれかに記載の組成物でｅｘ  ｖｉｖｏで活性化された単離ヒト樹状細胞、及びその後代からなる群から選択される単離ヒト樹状細胞；
を含む細胞組成物の、癌を有すると診断されているヒトの治療用の医薬または癌の高いリスクを有するヒトにおける癌の予防用の医薬の製造のための使用であって、前記治療または予防は前記医薬を前記ヒトに投与することを含む、前記使用。
【請求項２０】
前記治療または予防がさらに、１種または複数種の抗癌化学療法薬、抗癌放射性薬、及び／または抗癌放射線療法で前記ヒトを処置することを含む、請求項１９に記載の使用。
【請求項２１】
前記治療または予防がさらに、ドキソルビシン、シクロフォスファミド、ドセタキセル、シスプラチン、ビノレルビン、ボルテゾミブ、アドリアマイシン、トラスツズマブ、パクリタキセル、タモキシフェン、及びペルツズマブからなる群から選択される１種または複数種の抗癌化学療法薬で前記ヒトを処置することを含む、請求項１９または２０に記載の使用。
【請求項２２】
癌が、乳癌または肺癌である、請求項１９〜２１のいずれかに記載の使用。
【請求項２３】
癌が、三重陰性乳癌またはトラスツズマブ耐性乳癌である、請求項１９〜２１のいずれかに記載の使用。
【手続補正書】
【提出日】平成29年9月6日(2017.9.6)
【手続補正１】
【補正対象書類名】特許請求の範囲
【補正対象項目名】全文
【補正方法】変更
【補正の内容】
【特許請求の範囲】
【請求項１】
ナノ構造送達系の標的組織中への能動的かつ選択的な輸送のための、少なくとも一種のポリマー及び／又は少なくとも一種の脂質と少なくとも一種のポリメチン色素を含むナノ構造送達系の使用であって、輸送は、標準化単位としての少なくとも一種のポリメチン色素によって誘発され、少なくとも一種のポリメチン色素が、一般構造Ｉ、ＩＩ、ＩＩＩ又はＩＶ：
2016531142.tif 000001
2016531142.tif 000002
2016531142.tif 000003
2016531142.tif 000004
の対称又は非対称ポリメチンであり、
上式中、
ａ．  ｎは数値０、１、２、３、４、５、６、７、８、９又は１０を表し、
ｂ．  Ｒ１−Ｒ１７は、同一でも異なっていてもよく、水素、一又は複数のアルキル、ｔｅｒｔ−アルキル、シクロアルキル又はアリール、カルボキシアリール、ジカルボキシアリール、ヘテロアリール又はヘテロ脂環式基、アルキルオキシ、アルキルメルカプト、アリールオキシ、アリールメルカプト、ヘテロアリールオキシ、ヘテロアリールメルカプト基、ヒドロキシル、ニトロ又はシアノ基、アルキル置換又は環状アミン官能基及び／又は２つのオルト位の基、例えば、Ｒ３とＲ４、Ｒ１３とＲ１４及び／又はＲ１とＲ２及びＲ１１とＲ１２及び／又はＲ７とＲ９は、一緒に更なる芳香族環、ヘテロ芳香族環、脂肪族環又はヘテロ脂肪族環を形成してもよく、
ｃ．  Ｒ１−Ｒ１７置換基の少なくとも一つは、該ポリメチン色素の親水性を決定する、可溶化及び／又はイオン化可能な又はイオン化された置換基、例えばＳＯ３−、（−ＳＯ３Ｈ）、ＰＯ３２、ＣＯＯＨ、ＯＨ又はＮＲ３＋、シクロデキストリン又は糖を有し、該置換基はまたスペーサー基によってポリメチン色素に結合されていてもよく、
ｄ．  Ｒ１−Ｒ１７置換基の少なくとも一つは、反応性基（リンカー）、例えばイソシアネート、イソチオシアネート、ヒドラジン、アミン、モノ−及びジクロロ−又はモノ−及びジブロモトリアジン、アジリジン、エポキシド、ハロゲン化スルホニル、酸ハロゲン化物、カルボン酸無水物、Ｎ−ヒドロキシスクシンイミドエステル、イミドエステル、カルボン酸、グリオキサール、アルデヒド、マレイミド又はヨードアセトアミド及びホスホラミダイト誘導体又はアジド、アルキン又はオレフィンを有し、該置換基はまたスペーサー基によってポリメチン色素に結合されていてもよく、
ｅ．  芳香族、ヘテロ芳香族、脂肪族又はヘテロ脂肪族スペーサー基は、構造要素、例えば［（ＣＨ２）ａ−Ｙ−（ＣＨ２）ｂ］ｃ又は［（Ｃ６Ｈ４）ａ−Ｙ−（Ｃ６Ｈ４）ｂ］からなり、ここで、Ｙは同一でも異なっていてもよく、ＣＲ２−、Ｏ−、Ｓ−、ＳＯ２、ＳＯ２ＮＨ−、ＮＲ−、ＣＯＯ−又はＣＯＮＲ官能基を含み、該基はＲ１−Ｒ１７置換基の一つに結合し、ａとｂは、同じでも異なっていてもよく、０−１８の数値を有し、ｃの数値は０−１８であり、
ｆ．  対応するｎ＝２、３、４又は５のＲ８及びＲ９置換基は２×、３×、４×又は５×が存在していてもよく、これらは同一でも異なっていてもよい、
ナノ構造送達系の使用。
【請求項２】
少なくとも一種のポリメチン色素が、標的組織の細胞中へのナノ構造送達系の取込みをもたらす、少なくとも一種の組織特異的トランスポーターを有する、請求項１に記載のナノ構造送達系の使用。
【請求項３】
ナノ構造送達系が少なくとも一種の活性医薬成分を更に含有する、請求項１又は２に記載のナノ構造送達系の使用。
【請求項４】
少なくとも一種のポリメチン色素が、ＤＹ６３５、ＤＹ−６８０、ＤＹ−７８０、ＤＹ−８８０、ＤＹ−７３５、ＤＹ−８３５、ＤＹ−８３０、ＤＹ−７３０、ＤＹ−７５０、ＤＹ−８５０、ＤＹ−７７８、ＤＹ−８７８、ＤＹ−７０４、ＤＹ−８０４、ＤＹ−７５４、ＤＹ−８５４、ＤＹ−７００、ＤＹ−８００、ＩＣＧ及びＤＹ−ＩＲＤＹＥ８００ＣＷからなる群から選択される、請求項１から３の何れか一項に記載のナノ構造送達系の使用。
【請求項５】
少なくとも一種のポリマーが、ポリエステル、ポリ（メタ）アクリレート、ポリスチレン誘導体、ポリアミド、ポリウレタン、ポリアクリロニトリル、ポリテトラフルオロエチレン、シリコーン、ポリエチレングリコール、ポリエチレンオキシド及びポリオキサゾリンと好ましくはランダム、グラジエント、交互、ブロック、グラフト又はスターコポリマー等の様々な組成物でのそれらのコポリマーからなる群から選択され、あるいは少なくとも一種の脂質が、飽和及び不飽和脂肪酸、好ましくはコレステロール、パームエチル酸、リン脂質、スフィンゴ脂質及び糖脂質からなる群から選択される、請求項１から４の何れか一項に記載のナノ構造送達系の使用。
【請求項６】
少なくとも一種の組織特異的トランスポーターが、ＯＡＴＰ１Ｂ１、ＯＡＴＰ−Ｃ、ＯＡＴＰ２、ＬＳＴ−１、ＯＡＴＰ１Ｂ３、ＯＡＴＰ８、ＯＡＴＰ２Ｂ１、ＯＡＴＰ１Ａ２、ＮａＤＣ３、ＳＤＣＴ２、ＮＴＣＰ、ＯＣＴ１、ＯＣＴ３、ＯＡＴ２、ＯＡＴ１、ＯＡＴ３、ＰＧＴ、ＯＣＴ２、ＯＡＴ１、ＯＡＴＰ４Ａ１、ＯＡＴＰ４Ｃ１からなる群から選択される、請求項１から５の何れか一項に記載のナノ構造送達系の使用。
【請求項７】
少なくとも一種の活性医薬成分が、低分子物質、特にインダクター又は造影剤と、高分子物質、特に核酸及びタンパク質で、好ましくは、グルココルチコイド、細胞増殖抑制剤、代謝拮抗剤、インターカレート剤、抗体、インターフェロン、ホスホイノシトール−３キナーゼ阻害剤、コキシブ、ＪＮＫ阻害剤からなる群から選択されるものからなる群から選択される、請求項１から６の何れか一項に記載のナノ構造送達系の使用。
【請求項８】
ナノ構造送達系及び／又はその成分の標的組織への蓄積が、少なくとも一種のポリメチン色素の蛍光特性によって検出可能である、請求項１から７の何れか一項に記載のナノ構造送達系の使用。
【請求項９】
医薬として使用される、請求項１から８の何れか一項に記載のナノ構造送達系の使用。
【請求項１０】
肝臓及び／又は腎臓の疾患の治療に使用される、請求項１から８の何れか一項に記載のナノ構造送達系の使用。
【請求項１１】
請求項１０に記載の肝臓及び／又は腎臓の疾患の治療に使用される、請求項１から８の何れか一項に記載のナノ構造送達系の使用であって、疾患が、肝臓及び／又は腎臓への損傷を含む感染症、肝不全、肝硬変、肝臓の代謝疾患、肝臓の排泄機能障害、肝腫瘍、原発性肝腫瘍、腎腫瘍、原発腎腫瘍、様々なタイプの腎炎、慢性及び急性腎不全及び引き続く肝臓損傷及び／又は腎臓損傷を引き起こす疾患からなる群から選択される、ナノ構造送達系の使用。
【手続補正書】
【提出日】平成29年9月4日(2017.9.4)
【手続補正１】
【補正対象書類名】特許請求の範囲
【補正対象項目名】全文
【補正方法】変更
【補正の内容】
【特許請求の範囲】
【請求項１】
１つまたは複数の治療ポリヌクレオチドをコードする発現ベクターを含む遺伝子治療組成物であって、
前記治療ポリヌクレオチドが、コラーゲン、コラーゲン形成遺伝子産物、軟骨形成遺伝子産物、結合組織形成遺伝子産物、転写因子、軟骨マトリックス遺伝子、受容体遺伝子およびシグナル伝達分子からなる群から選択される遺伝子産物をコードしており、
個体の関節に送達されて該関節における細胞をコンドロサイトまたは軟骨型細胞に分化させるおよび／または該送達により該関節におけるコンドロサイトを刺激してさらなる細胞を生成させるための遺伝子治療組成物。
【請求項２】
前記治療ポリヌクレオチドが、ＣＯＬ１Ａ１、ＣＯＬ１Ａ２、ＣＯＬ２Ａ１、ＣＯＬ３Ａ１、ＣＯＬ４Ａ１、ＣＯＬ４Ａ２、ＣＯＬ４Ａ３、ＣＯＬ４Ａ４、ＣＯＬ４Ａ５、ＣＯＬ４Ａ６、ＣＯＬ５Ａ１、ＣＯＬ５Ａ２、ＣＯＬ５Ａ３、ＣＯＬ６Ａ１、ＣＯＬ６Ａ２、ＣＯＬ６Ａ３、ＣＯＬ６Ａ４、ＣＯＬ６Ａ５、ＣＯＬ７Ａ１、ＣＯＬ８Ａ１、ＣＯＬ８Ａ２、ＣＯＬ９Ａ１、ＣＯＬ９Ａ２、ＣＯＬ９Ａ３、ＣＯＬ１０Ａ１、ＣＯＬ１１Ａ１、ＣＯＬ１１Ａ２、ＣＯＬ１２Ａ１、ＣＯＬ１３Ａ１、ＣＯＬ１４Ａ１、ＣＯＬ１５Ａ１、ＣＯＬ１６Ａ１、ＣＯＬ１７Ａ１、ＣＯＬ１８Ａ１、ＣＯＬ１９Ａ１、ＣＯＬ２０Ａ１、ＣＯＬ２１Ａ１、ＣＯＬ２２Ａ１、ＣＯＬ２３Ａ１、ＣＯＬ２４Ａ１、ＣＯＬ２５Ａ１、ＣＯＬ２６Ａ１、ＣＯＬ２７Ａ１、ＣＯＬ２８Ａ１、Ｇａｔａ４、Ｍｅｆ２Ｃ、Ｔｂｘ５、Ｓｏｘ５、Ｓｏｘ６、Ｓｏｘ９、ＦＧＦＲ２、ＶＥＧＦ、ＭＭＰ１４、フォークヘッド、ＣＤ１０、ＭＭＰ１３、ＷＮＴ１１、ＢＡＰＸ１、ＩＬ−１Ｒ１、ＩＧＦＢＰ５、ＭＭＰ１６、ＢＭＰ２、ＡＬＫ１、ＢＭＰ５、ＩＧＦ１、ＭＭＰ１３、ＡＤＡＭＴＳ５、ＢＣＬ１０、ＭＣＯＬＮ２、ＬＲＲＣ８Ｃ、ＰＴＧＦＲ、ＲＬＦ、ＭＡＴＮ１、ＰＤＰＮ、ＴＮＦＲＳＦ１８、ＩＴＧＡ１０、ＴＨＢＳ３、ＳＣＹＬ１ＢＰ１、ＫＣＮＴ２、２４４５３３＿ａｔ、ＡＲＦ１、２２２３４８＿ａｔ、ＳＬＣ４Ａ５、ＨＳＰＣ１５９、ＲＨＯＱ、ＭＡＴＮ３、ＳＵＬＴ１Ｃ２、２３６２８９＿ａｔ、ＢＣＬ２Ｌ１１、ＦＬＪ１６００８、ＫＬＦ７、ＮＲＰ２、ＳＥＲＰＩＮＥ２、ＦＮ１、Ｂ３ＧＮＴ７、ＡＤＡＭＴＳ９、ＡＮＫＲＤ２８、ＧＡＬＮＴＬ２、ＩＲＡＫ２、ＳＥＴＤ５、ＦＮＤＣ３Ｂ、Ｂ３ＧＮＴ５、ＣＹＴＬ１、ＩＢＳＰ、２２９２２１＿ａｔ、ＰＥＴ１１２Ｌ、ＥＤＮＲＡ、１５６３４１４＿ａｔ、ＯＳＭＲ、Ｃ１ＱＴＮＦ３、ＺＦＹＶＥ１６、２２５６１１＿ａｔ、ＭＡＳＴ４、ＥＤＩＬ３、２３０２０４＿ａｔ、２３０８９５＿ａｔ、ＨＡＰＬＮ１、ＰＤＬＩＭ４、ｃｒ５ｑ３５  ＳＱＳＴＭ１、ＳＣＵＢＥ３、ＣＭＡＨ、２３６６８５＿ａｔ、ＢＭＰ６、ＵＬＢＰ２、ＬＲＰ１１、ＳＯＤ２、ＳＹＮＪ２、ＷＴＡＰ、ＨＩＧ２、ＫＩＡＡ１７１８、ＦＡＭ６２Ｂ、ＵＢＥ３Ｃ、ＴＮＦＲＳＦ１０Ｄ、ＳＬＣ２５Ａ３７、ＣｈＧｎ、ＲＢ１ＣＣ１、Ｃ８ｏｒｆ７２、ＥＩＦ２Ｃ２、ＨＡＳ２、ＴＲＰＳ１、ＷＩＳＰ１、２３５８２１＿ａｔ、ＰＴＫ２、ＺＣＣＨＣ７、ＲＰＳ６、ＧＬＩＳ３、ＳＬＣ２８Ａ３、１５５５８４１＿ａｔ、ＭＧＣ１７３３７、ＥＤＧ２、２２９２４２＿ａｔ、ＩＴＧＢ１、Ｃ１０ｏｒｆ４９、ＹＭＥ１Ｌ１、ＡＫＲ１Ｃ２、ＣＨＳＴ３、ＬＯＸＬ４、ＳＦＸＮ３、２２８９１０＿ａｔ、ＣＤ４４、ＦＯＳＬ１、ＲＥＬＡ、ＭＭＰ１２、ＭＭＰ１３、ＭＭＰ３、ＫＩＡＡ０９９９、ＡＳＡＭ、ＬＯＣ３９９９５９、ＥＴＮＫ１、ＳＯＸ５、ＣＨＳＴ１１、ＡＴＦ１、ＳＲＧＡＰ１、ＤＳＰＧ３、ＬＯＣ３３８７５８、ＫＩＡＡ０７０１、ＳＬＣ４１Ａ２、ＲＨＯＦ、ＦＺＤ１０、ＮＵＰＬ１、ＵＳＰ１２、ＵＦＭ１、ＬＥＣＴ１、ＧＰＣ６、ＥＲＯ１Ｌ、ＢＤＫＲＢ１、ＳＥＭＡ６Ｄ、ＬＡＣＴＢ、ＡＲＩＨ１、ＣＳＰＧ４、ＡＧＣ１、ＬＯＣ２８３８２４、ＶＡＳＮ、ＷＷＰ２、ＮＯＳ２Ａ、ＬＯ���２０１１８１、ＭＳＩ２、ＰＩＴＰＮＣ１、ＴＧＩＦ、１５５２２８８＿ａｔ、１５５２２８９＿ａ＿ａｔ、ＺＮＦ１４６、ＲＥＬＢ、ＭＩＡ、ＺＮＦ１６０、ＳＮＸ５、ＢＭＰ２、ＲＮＦ２４、ＨＳＵＰ１、ＭＡＴＮ４、ＢＩＣ、ＲＵＮＸ１、ＬＩＦ、ＲＰ４−７５６Ｇ２３．１、ＲＰＳ６ＫＡ３、ＴＮＭＤ、ＲＰ６−２１３Ｈ１９．１およびそれらの組み合わせからなる群から選択される、請求項１に記載の遺伝子治療組成物。
【請求項３】
前記送達がｉｎ  ｖｉｖｏで生じる、請求項１に記載の遺伝子治療組成物。
【請求項４】
前記関節における細胞が、線維芽細胞、脂肪細胞、幹細胞、存在するコンドロサイト、または軟骨型細胞に分化しうる他の細胞である、請求項１に記載の遺伝子治療組成物。
【請求項５】
前記１つまたは複数の治療ポリヌクレオチドが少なくとも１つの発現ベクターに存在する、請求項１に記載の遺伝子治療組成物。
【請求項６】
前記発現ベクターが、ウイルスベクターまたは非ウイルスベクターである、請求項１に記載の遺伝子治療組成物。
【請求項７】
前記非ウイルスベクターが、プラスミドである、請求項６に記載の遺伝子治療組成物。
【請求項８】
前記ウイルスベクターが、レンチウイルスベクター、アデノウイルスベクター、アデノ随伴ウイルスベクター、またはレトロウイルスベクターである、請求項６に記載の遺伝子治療組成物。
【請求項９】
２つ以上の治療ポリヌクレオチドが存在するとき、それらは同じ発現ベクターに存在している、請求項１に記載の遺伝子治療組成物。
【請求項１０】
２つ以上の治療ポリヌクレオチドが存在するとき、それらは２つ以上の異なる発現ベクターに存在している、請求項１に記載の遺伝子治療組成物。
【請求項１１】
前記１つまたは複数の治療ポリヌクレオチドの発現が、無血管性、無神経性または低酸素環境における活性に適したプロモーターによって指示される、請求項１に記載の遺伝子治療組成物。
【手続補正書】
【提出日】平成29年8月16日(2017.8.16)
【手続補正１】
【補正対象書類名】特許請求の範囲
【補正対象項目名】全文
【補正方法】変更
【補正の内容】
【特許請求の範囲】
【請求項１】
ファルネソイドＸ受容体（ＦＸＲ）アゴニストを含む、それを必要としている被験体におけるＢ型肝炎ウイルス（ＨＢＶ）感染症の処置に使用するための組成物。
【請求項２】
被験体が、遺伝子型Ａ、Ｂ、Ｃ、又はＤを含む任意のＢ型肝炎ウイルスの遺伝子型に感染している、請求項１記載のファルネソイドＸ受容体（ＦＸＲ）アゴニストを含む組成物。
【請求項３】
被験体が、慢性ＨＢＶ感染症に罹患している、請求項１記載のファルネソイドＸ受容体（ＦＸＲ）アゴニストを含む組成物。
【請求項４】
ファルネソイドＸ受容体（ＦＸＲ）アゴニストが、選択的ＦＸＲアゴニストである、請求項１記載のファルネソイドＸ受容体（ＦＸＲ）アゴニストを含む組成物。
【請求項５】
ファルネソイドＸ受容体（ＦＸＲ）アゴニストが、ＣＡＳ登録番号１１９２１７１−６９−９、６ＥＣＤＣＡ、ＧＷ４０６４、ＰＸＬ０９１４、及びＰＸＬ０７４３によって特定される化合物からなる群から選択される、請求項１記載のファルネソイドＸ受容体（ＦＸＲ）アゴニストを含む組成物。
【請求項６】
ファルネソイドＸ受容体（ＦＸＲ）アゴニストが、ＣＡＳ登録番号１１９２１７１−６９−９及び６ＥＣＤＣＡによって特定される化合物からなる群から選択される、請求項１記載のファルネソイドＸ受容体（ＦＸＲ）アゴニストを含む組成物。
【請求項７】
被験体が、ＨＢＶ感染症に対する以前の処置に応答しなかった、請求項１記載のファルネソイドＸ受容体（ＦＸＲ）アゴニストを含む組成物。
【請求項８】
以前の処置が、ラミブジン（Epivir）、アデホビル（Hepsera）、テノホビル（Viread）、テルビブジン（Tyzeka）、及びエンテカビル（Baraclude）、並びに２つの免疫系調節因子インターフェロンアルファ−２ａ及びペグ化インターフェロンアルファ−２ａ（Pegasys）又はインターフェロンアルファ−２ｂ（ViraferonPeg ou Introna）等の抗ウイルス薬からなる群から選択される、請求項７記載のファルネソイドＸ受容体（ＦＸＲ）アゴニストを含む組成物。
【請求項９】
ＦＸＲアゴニストが、ラミブジン（Epivir）、アデホビル（Hepsera）、テノホビル（Viread）、テルビブジン（Tyzeka）、及びエンテカビル（Baraclude）、並びに２つの免疫系調節因子インターフェロンアルファ−２ａ及びペグ化インターフェロンアルファ−２ａ（Pegasys）及びインターフェロンアルファ−２ｂ（ViraferonPeg ou Introna）等の抗ウイルス薬からなる群から選択される処置と組み合わせて投与される、請求項１記載のファルネソイドＸ受容体（ＦＸＲ）アゴニストを含む組成物。
【手続補正書】
【提出日】平成29年5月19日(2017.5.19)
【手続補正１】
【補正対象書類名】特許請求の範囲
【補正対象項目名】請求項１
【補正方法】変更
【補正の内容】
【請求項１】
少なくとも１種のコポリマーを含む水性分散液であって、該コポリマーが、
（ｉ）最初に、少なくとも１種のポリウレタンの水性分散液を装入する工程と、次いで、
（ｉｉ）（ｉ）からのポリウレタンの存在下で、オレフィン系不飽和モノマーの混合物を重合させる工程であり、
（ａ）水溶性開始剤を使用し、
（ｂ）オレフィン系不飽和モノマーの計量添加を、オレフィン系不飽和モノマーの総量に対する反応溶液中濃度が６．０質量％を超えないように、反応の全持続時間にわたって行い、
（ｃ）上記オレフィン系不飽和モノマーの混合物が、少なくとも１種のポリオレフィン系不飽和モノマーを含む、
工程
を行うことによって製造できる、上記水性分散液。
【手続補正２】
【補正対象書類名】特許請求の範囲
【補正対象項目名】請求項１７
【補正方法】変更
【補正の内容】
【請求項１７】
水性分散液を製造する方法であって、
（ｉ）最初に、少なくとも１種のポリウレタンの水性分散液を装入する製造工程と、次いで、
（ｉｉ）（ｉ）からのポリウレタンの存在下で、オレフィン系不飽和モノマーの混合物を重合させる製造工程であり、
（ａ）水溶性開始剤を使用し、
（ｂ）オレフィン系不飽和モノマーの計量添加を、オレフィン系不飽和モノマーの総量に対する反応溶液中濃度が６．０質量％の濃度を超えないように、反応の全持続時間にわたって行い、
（ｃ）前記オレフィン系不飽和モノマーの混合物が、少なくとも１種のポリオレフィン系不飽和モノマーを含む、
製造工程と、を特徴とする上記方法。
【手続補正書】
【提出日】平成29年7月11日(2017.7.11)
【手続補正１】
【補正対象書類名】特許請求の範囲
【補正対象項目名】全文
【補正方法】変更
【補正の内容】
【特許請求の範囲】
【請求項１】
（ｉ）ＴＮＦスーパーファミリーのメンバーのサイトカイン鎖の３つのコピーであって、生じるサイトカインは、その受容体への親和性が低下するように修飾される、前記コピー、（ｉｉ）リンカー配列、及び（ｉｉｉ）ターゲティング部分であって、前記リンカー配列がターゲティング部分にサイトカインコピーを連結している、前記ターゲティング部分、を含む、構築物。
【請求項２】
前記構築物は、融合タンパク質である、請求項１に記載の構築物。
【請求項３】
前記ＴＮＦスーパーファミリーのメンバーのサイトカイン鎖の少なくとも１つのコピーは、変異している、請求項１または２に記載の構築物。
【請求項４】
前記サイトカインは、ＦａｓＬ、ＴＲＡＩＬ、ＴＮＦ、ＣＤ３０Ｌ、ＣＤ４０Ｌ、ＯＸ４０Ｌ、ＲＡＮＫＬ、ＴＷＥＡＫＬ、ＬＴａｌｐｈａ、ＬＴｂｅｔａ、ＬＩＧＨＴ、ＣＤ２７Ｌ、４１ＢＢＬ、ＧＩＴＲＬ、ＡＰＲＩＬ、ＥＤＡ、ＶＥＧＩ及びＢＡＦＦからなる群から選択される、請求項１〜３のいずれかに記載の構築物。
【請求項５】
前記ターゲティング部分は、抗体またはナノボディである、請求項１〜４のいずれかに記載の構築物。
【請求項６】
前記変異したサイトカインコピーは、ＴＮＦ  Ｙ８７Ｑ、ＴＮＦ  Ｙ８７Ｌ、ＴＮＦ  Ｙ８７Ａ、ＴＮＦ  Ｙ８７Ｆ、ＴＮＦ  Ｉ９７Ａ、ＴＮＦ  Ｉ９７Ｑ、ＴＮＦ  Ｉ９７Ｓ、ＴＮＦ  Ｙ１１５Ａ、およびＴＮＦ  Ｙ１１５Ｇからなる群から選択される、請求項１〜５のいずれかに記載の構築物。
【請求項７】
前記ターゲティング部分は、ＣＤ２０、Ｈｅｒ２、ｃ−Ｍｅｔ、ＥＧＦＲ、テネイシンＣ、ανβ３インテグリン及びＣＤ１３からなる群から選択される標的に対して向けられている、請求項１〜６のいずれかに記載の構築物。
【請求項８】
医薬としての使用のための、請求項１〜７のいずれか１項に記載の構築物。
【請求項９】
癌の治療における使用のための、請求項１〜７のいずれか１項に記載の構築物。
【手続補正書】
【提出日】平成29年8月17日(2017.8.17)
【手続補正１】
【補正対象書類名】特許請求の範囲
【補正対象項目名】全文
【補正方法】変更
【補正の内容】
【特許請求の範囲】
【請求項１】
下記式(I)
【化１】
2016531126.tif 000001
（式中、
R1は、-CH3、-CH2CH3、-C1-3ハロアルキル及び-Hから選択され；
R2は、-H、-C1-3アルキルから選択され；
R2aは、-H、-C1-3アルキルから選択され；
R3は、ベンジル、フェニル及び5〜12員ヘテロアリール（各基は任意かつ独立に、R5から独立に選択される1個以上の基で置換されていてもよい）から選択され、又は
R3は、8〜12員芳香族ヘテロシクリル（各ヘテロシクリル基は任意かつ独立に、=O及びR5から独立に選択される1個以上の基で置換されていてもよい）であり；
R4は、-H、ハロゲン、フェニル、ナフチル及び5〜12員ヘテロアリール（各基は任意かつ独立に、R6から独立に選択される1個以上の基で置換されていてもよい）から選択され、又は
R4は、8〜12員芳香族ヘテロシクリル（ヘテロシクリルは任意かつ独立に、=O及びR6から独立に選択される1個以上の基で置換されていてもよい）であり；
R5は、ハロゲン、-CN、-C1-3アルキル、-O-C1-5アルキルから選択され；
R6は、ハロゲン、-CN、-NH2、-C1-3アルキル、-C1-3ハロアルキル、-O-C1-3アルキルから選択される）
の化合物（式(I)の前記化合物は任意に塩の形で存在してもよい）。
【請求項２】
R1が-CH3又は-CH2CH3である、請求項1に記載の化合物。
【請求項３】
R2が-CH3又は-CH2CH3である、請求項1又は2に記載の化合物。
【請求項４】
R2aが-Hである、請求項1〜3のいずれか1項に記載の化合物。
【請求項５】
R3が、R5から独立に選択される1個以上の基で任意に置換されていてもよい5〜12員ヘテロアリールである、請求項1〜4のいずれか1項に記載の化合物。
【請求項６】
R3が、ピリジル、ピリミジニル、
【化２】
2016531126.tif 000002
（各基は任意に、請求項1に記載どおりに置換されていてもよい）
から選択される、請求項1〜5のいずれか1項に記載の化合物。
【請求項７】
R3が、ピリジル又は
【化３】
2016531126.tif 000003
（各基は任意かつ独立に、請求項1に記載どおりに置換されていてもよい）
である、請求項6に記載の化合物。
【請求項８】
R4が、R6から独立に選択される1個以上の基で任意に置換されていてもよい5〜12員ヘテロアリールである、請求項1〜4のいずれか1項に記載の化合物。
【請求項９】
R4が、-Cl、ピリジル、ピリミジニル、
【化４】
2016531126.tif 000004
（各基は任意かつ独立に、請求項1に記載の1個以上の置換基で置換されていてもよい）
から選択される、請求項1〜8のいずれか1項に記載の化合物。
【請求項１０】
R4が、ピリジル、
【化５】
2016531126.tif 000005
（各基は任意かつ独立に、請求項1に記載どおりに置換されていてもよい）
から選択される、請求項1〜9のいずれか1項に記載の化合物。
【請求項１１】
R4が、
【化６】
2016531126.tif 000006
（各基は任意かつ独立に、請求項1に記載どおりに置換されていてもよい）
から選択される、請求項1〜10のいずれか1項に記載の化合物。
【請求項１２】
R5が、-CN、-F、-Cl、-CH3、-O-CH3から選択される、請求項1〜11のいずれか1項に記載の化合物。
【請求項１３】
R4が、=O及びR6から選択される1個以上の置換基で置換され、R6は-CN、-F、-Cl、-NH2、-CH3、-O-CH3から選択される、請求項1〜12のいずれか1項に記載の化合物。
【請求項１４】
下記化合物
【化７】
2016531126.tif 000007
2016531126.tif 000008
2016531126.tif 000009
2016531126.tif 000010
2016531126.tif 000011
（前記化合物は任意に塩の形で存在してもよい）
から選択される、請求項1に記載の化合物。
【請求項１５】
がんの治療及び／又は予防に使用するための医薬組成物であって、請求項1〜14のいずれか1項に記載の一般式(I)の化合物又はその医薬的に許容できる塩を含む前記医薬組成物。
【請求項１６】
活性物質として、請求項1〜14のいずれか1項に記載の一般式(I)の1種以上の化合物を含み、任意で通常の賦形剤及び／又は担体と組み合わせた医薬組成物。
【請求項１７】
請求項1〜14のいずれか1項に記載の一般式(I)の化合物又はその医薬的に許容できる塩と、式(I)とは異なる少なくとも1種の他の細胞分裂停止又は細胞障害活性物質とを含む医薬組成物。
【請求項１８】
請求項1〜14のいずれか1項に記載の化合物又はその医薬的に許容できる塩を含む医薬組成物。
【手続補正書】
【提出日】平成29年7月31日(2017.7.31)
【手続補正１】
【補正対象書類名】特許請求の範囲
【補正対象項目名】全文
【補正方法】変更
【補正の内容】
【特許請求の範囲】
【請求項１】
式Ｉ：
【化１】
2016531121.tif 000001
（式中、
Ｙが、結合、ＮＲ４ａ、Ｏ、Ｃ（Ｏ）ＮＨ、ＮＨＣ（Ｏ）、Ｓ、ＳＯ２、およびＣＨ２から選択され、
Ｚが、結合、ＮＲ４ｂ、Ｏ、Ｃ（Ｏ）ＮＨ、ＮＨＣ（Ｏ）、Ｓ、ＳＯ２、およびＣＨ２から選択され、
ｍが、０〜５の整数であり、
ｎが、０〜３の整数であり、
Ｒ１およびＲ２が、アルキル、アミノアルキル、アルキルスルホニルアルキル、アルコキシアルキル、アリール、アリールアルキル、シクロアルキル、シクロアルキルアルキル、フェニル、ビフェニル、ヘテロアリール、ヘテロアリールアルキル、ヘテロシクロアルキル、およびヘテロシクロアルキルアルキルからそれぞれ独立して選択され、かつＲ１およびＲ２が、それらが付加する窒素と一緒に、０〜３個のＲ６基と任意選択で置換されてもよい窒素含有ヘテロシクロアルキルまたはヘテロアリール環を形成し、
Ｒ３が、アルキルアミノ、シクロアルキルアミノ、アリールアミノ、ヘテロアリールアミノ、ヘテロシクロアルキルアミノ、シクロアルキル、シクロアルキルアルキル、アリール、アリールアルキル、ヘテロアリール、ヘテロアリールアルキル、ヘテロシクロアルキル、およびヘテロシクロアルキルアルキルから選択され、これらのうちのいずれも、０〜３個のＲ６基と任意選択で置換されてもよく、
Ｒ４、Ｒ４ａ、およびＲ４ｂが、水素、アルキル、アルケニル、アルキニル、およびシクロアルキルから独立して選択され、
Ｒ５が、アリールおよびヘテロアリールから選択され、これらのうちのいずれも、０〜３個のＲ６基と任意選択で置換されてもよく、
それぞれのＲ６が、水素、ハロゲン、アルキル、アルケニル、アルキニル、シクロアルキル、ハロアルキル、ハロアルコキシ、アリール、アラルキル、ヘテロシクロアルキル、ヘテロアリール、ヘテロアリールアルキル、シアノ、アルコキシ、アミノ、アルキルアミノ、ジアルキルアミノ、ＣＯＲ７、ＳＯ２Ｒ７、ＮＨＳＯ２Ｒ７、ＮＨＳＯ２ＮＨＲ７、ＮＨＣＯＲ７、ＮＨＣＯＮＨＲ７、ＣＯＮＨＲ７、およびＣＯＮＲ７Ｒ８から独立して選択され、ならびに
Ｒ７およびＲ８が、水素および低級アルキルから独立して選択されるか、またはＲ７およびＲ８が、一緒になって、低級アルキルと任意選択で置換されてもよい窒素含有ヘテロシクロアルキルもしくはヘテロアリール環を形成してもよい）
の化合物またはその塩。
【請求項２】
Ｚが、ＮＲ４ｂである、請求項１に記載の化合物。
【請求項３】
Ｒ４ｂが、メチルおよび水素から選択される、請求項２に記載の化合物。
【請求項４】
前記アルキルが、単独でまたは別の非環式置換基の指定される一部としてかどうかに関わらず、Ｃ１〜Ｃ８アルキルである、請求項３に記載の化合物。
【請求項５】
Ｒ３が、アリール、アリールアルキル、ヘテロアリール、およびヘテロアリールアルキルから選択され、これらのうちのいずれも、０〜３個のＲ６基と任意選択で置換されてもよい、請求項４に記載の化合物。
【請求項６】
Ｒ３が、アリールおよびヘテロアリールから選択され、これらのうちのいずれも、０〜３個のＲ６基と任意選択で置換されてもよい、請求項５に記載の化合物。
【請求項７】
ｍが、０〜１の整数であり、Ｙが、ＮＲ４ａ、Ｏ、Ｓ、ＳＯ２、およびＣＨ２から選択され、ｎが、１〜３の整数であり、かつＲ４ａが、水素およびアルキルから選択される、請求項６に記載の化合物。
【請求項８】
ｍが、０であり、Ｙが、ＣＨ２であり、かつｎが、１〜３の整数である、請求項７に記載の化合物。
【請求項９】
Ｒ３が、０〜３個のＲ６基と任意選択で置換されるアリールである、請求項４に記載の化合物。
【請求項１０】
Ｒ３が、フェニルおよびビフェニルから選択され、このうちのどちらも、０〜３個のＲ６基と任意選択で置換されてもよい、請求項９に記載の化合物。
【請求項１１】
ｍが、０〜１の整数であり、Ｙが、ＮＲ４ａ、Ｏ、Ｓ、ＳＯ２、およびＣＨ２から選択され、ｎが、１〜３の整数であり、かつＲ４ａが、水素およびアルキルから選択される、請求項１０に記載の化合物。
【請求項１２】
ｍが、０であり、Ｙが、ＣＨ２であり、かつｎが、１〜３の整数である、請求項１１に記載の化合物。
【請求項１３】
ｎが、２または３である、請求項１２に記載の化合物。
【請求項１４】
Ｒ１およびＲ２が付加されている窒素と一緒にＲ１およびＲ２によって形成される窒素含有ヘテロシクロアルキルまたはヘテロアリール環が、３〜８個の原子を含有する、請求項１３に記載の化合物。
【請求項１５】
Ｒ１およびＲ２が、一緒になって、０〜３個のＲ６基と任意選択で置換されてもよい窒素含有ヘテロシクロアルキルを形成する、請求項１４に記載の化合物。
【請求項１６】
前記窒素含有ヘテロシクロアルキルが、
【化２】
2016531121.tif 000002
から選択される、請求項１５に記載の化合物。
【請求項１７】
前記窒素含有ヘテロシクロアルキルが、
【化３】
2016531121.tif 000003
から選択される、請求項１６に記載の化合物。
【請求項１８】
ｎが、２または３である、請求項１７に記載の化合物。
【請求項１９】
Ｒ１およびＲ２が、一緒になって、０〜３個のＲ６基と任意選択で置換されてもよい窒素含有ヘテロアリールを形成する、請求項１５に記載の化合物。
【請求項２０】
前記窒素含有ヘテロアリールが、ピロール、イミダゾール、およびピラゾールから選択される、請求項１７に記載の化合物。
【請求項２１】
Ｒ５が、任意選択で、０〜３個のＲ６基であって、それぞれが低級アルキル、ハロゲン、低級アルコキシ、ＯＣＦ３、およびＣＦ３から独立して選択される０〜３個のＲ６基と置換されてもよいアリールである、請求項１８に記載の化合物。
【請求項２２】
Ｒ５が、任意選択で、０〜３個のＲ６基であって、それぞれが低級アルキル、ハロゲン、低級アルコキシ、ＯＣＦ３、およびＣＦ３から独立して選択される０〜３個のＲ６基と置換されてもよいフェニルである、請求項２１に記載の化合物。
【請求項２３】
ｎが、２または３である、請求項２２に記載の化合物。
【請求項２４】
医薬としての使用のための請求項１〜２３のいずれか１項に記載の化合物またはその塩もしくはプロドラッグ。
【請求項２５】
薬学的に許容され得るキャリヤと一緒に、請求項１〜２３に記載の化合物またはその塩もしくはプロドラッグを含む医薬組成物。